(57)【要約】【課題】  海又は湖を舞台とする映画の撮影や、浜辺を背景とする夏をテーマとしたイベント等において海等を模した人口池の貯水に、神秘的な不透明深青色を発現することができる着色助剤、それを使用して調製した不透明深青色貯水及びその調製方法の提供。【解決手段】  青色染料と共にフミン酸を人工池中の貯水に添加し、南国のような神秘的な不透明深青色を発現させる。【選択図】        なし【特許請求の範囲】
【請求項１】
フミン酸含有水からなることを特徴とする、貯水に不透明深青色を発現する着色助剤。
【請求項２】
フミン酸の平均粒径が０．５〜１．５μｍである請求項１に記載の着色助剤。
【請求項３】
フミン酸の濃度が１〜４０ｗｔ％である請求項１又は２に記載の着色助剤。
【請求項４】
フミン酸及び青色染料を含有することを特徴とする不透明深青色貯水。
【請求項５】
フミン酸の平均粒径が０．５〜１．５μｍである請求項４に記載の不透明深青色貯水。
【請求項６】
フミン酸濃度が０．０１〜５０ｍｇ／Ｌである請求項４又は５に記載の不透明深青色貯水。
【請求項７】
フミン酸含有水及び青色染料を貯水に添加することを特徴とする不透明深青色貯水の調製方法。
【請求項８】
フミン酸含有水及び青色染料の添加を浄化装置に循環する水に対して行い、添加後の水を人工池に戻す請求項７に記載の不透明深青色貯水の調製方法。
【請求項９】
退色した貯水を浄化装置に循環し、その水に対して青色染料を追加添加し、添加後の水を人工池に戻す請求項７又は８に記載の不透明深青色貯水の調製方法。
【請求項１０】
フミン酸の平均粒径が０．５〜１．５μｍである請求項７ないし９のいずれか１項に記載の不透明深青色貯水の調製方法。
【請求項１１】
貯水中のフミン酸濃度を０．０１〜５０ｍｇ／Ｌとする請求項７ないし１０のいずれか１項に記載の不透明深青色貯水の調製方法。
【発明の詳細な説明】
【技術分野】
【０００１】
本発明は、貯水に神秘的な不透明深青色を発現する着色助剤、それを使用する不透明深青色貯水及びその調製方法に関する。
より詳しくは、映画の撮影セットあるいは夏をテーマとしたイベント等において利用するのに適した人工池、特に海を模した人工池の貯水に南国の海のような神秘的な不透明深青色を発現することができる着色助剤、それを使用して調製した不透明深青色貯水及びその調製方法に関する。
【背景技術】
【０００２】
本発明は、海戦映画あるいは怪獣映画の撮影、又は夏をテーマとしたイベント等において利用するのに適した人工池の水に南国の海のような神秘的な不透明深青色を発現することができる着色助剤、それを使用して調製した不透明深青色貯水及びその調製方法を提供するものである。
海戦映画あるいは怪獣映画は、従前より製造、上映され、多くのファンに楽しまれている。
その海戦映画には、多くの戦艦が登場し、それを実物あるいはそれと同様のものを利用して撮影することは、実物の確保あるいは経費等の点から事実上不可能であり、かつ気象あるいは気候等からの制約もあり事実上小さな小型の模型船を使用し、海のセットを利用して撮影するのが通常である。
【０００３】
また、怪獣映画における怪獣は、人間が中に入っている縫いぐるみであり、それが活動する場に設置されている建築物、登場する船、ヘリコプター、自動車などの各種乗り物等は、いずれもそれに対応する必要があることから、小型のものとなり通常模型を利用することになる。
それに伴って、怪獣が海あるいは湖で活動するシーンを撮影する場合には、海や湖のセットを利用することになる。
さらに、海を背景とする夏用商品のＣＭ撮影は、その撮影時期が夏ではなく、冬から春にかけてであることから海外で行われることもあるが、経費節減等のために人工海浜をセットしたスタジオで行われることもある。
その際には、スタジオで合わせてイベントを行うことにより、多くの報道関係者や一般利用者にも参加、見学して頂くことができ、宣伝の機会としても利用できるという利点もある。
【０００４】
このような人工的な海や湖のセットを利用し、海戦シーンあるいは怪獣が水中から飛び出すシーンを撮影する場合には、水深が浅い場合には、浅い海あるいは湖としてしか見えないことから、深く見せる際には底を青色に塗装する等の工夫をしているが、限界があり満足できるものではなかった。
特に、怪獣が水中から飛び出すシーンを撮影する際には、事前にその存在が判明してしまうことから、そのままでは迫力に欠けるシーンしか撮影することができなかった。
また、最近は、コンピューターグラフィックスで海の着色を行うことがあるが、色に深みがなく、リアル性に欠けるものであった。
【０００５】
そのようなことから人工池に貯められた水に、不透明で夏の海に似た神秘的な深い青色を発現することができることが望まれており、白色顔料と青色染料を併用することが試みられ、それにより一応要望されている不透明深青色を発現することはできたようである。
しかしながら、人工池中の水は、非撮影時には必ずしも水量の厳格な管理がなされておらず、その結果水位が低下し、放置時と使用時において水位に変動が生じ、水位低下時には水位上昇時の水が上方の貯水壁に付着し、残留した白色顔料は乾燥し、貯水壁を不規則に白色に着色し、演出効果を低減するものとなる。
【発明の開示】
【発明が解決しようとする課題】
【０００６】
そこで、本発明者らは、夏の海のような神秘的な深青色を発現することができ、かつ貯水壁を汚染することもなく、しかも水中に没した怪獣あるいは各種構造物、水の浄化用給排水設備等の露見を回避することができ、かつ着水後の水着あるいは怪獣等が着色することのない貯水用着色水を製造することができる着色技術を開発すべく鋭意研究し、その結果開発に成功したのが本発明である。
したがって、本願発明は、夏の海のような神秘的な不透明深青色を発現することができ、かつ貯水壁を汚染することもなく、しかも水中に没した怪獣あるいは各種構造物、水の浄化用給排水設備等の露見を回避することができ、かつ着水後の水着あるいは怪獣等が着色することのない貯水の着色技術を提供することを発明の解決すべき課題とするものである。
【課題を解決するための手段】
【０００７】
本発明は、前記課題を解決するために、貯水に不透明深青色を発現する着色助剤、不透明深青色貯水及びその製造方法を提供するものであり、第１の着色助剤は、フミン酸含有水からなることを特徴とするものであり、第２の不透明深青色貯水は、フミン酸及び青色染料を含有することを特徴とするものである。
また、第３の不透明深青色貯水の調製方法は、フミン酸含有水及び青色染料を貯水に添加することを特徴とするものである。
【発明の効果】
【０００８】
本発明は、海戦映画あるいは怪獣映画の撮影、又は夏をテーマとしたイベント等において利用するのに適した、南国の海のような神秘的な不透明深青色を発現することができる人口池を提供することができる。
この人口池を撮影用セットとして利用することにより、海戦映画の撮影が小型の模型船を使用して、気象あるいは気候等の条件を特段配慮することなく撮影することができ、かつその撮影に適した海の色を提供することができる。
さらに、怪獣映画の撮影においては、怪獣が水中から飛び出すシーンを撮影する場合にも、水中に潜んでいることが事前に判明することがないから迫力に優れた映像を撮影することができる。
【０００９】
また、海を背景とする夏用商品の撮影の際には、撮影時期が冬季の場合においても撮影に適した夏の海の環境を提供することができ、簡便で、かつ経費節減のできる撮影環境を提供することができる。
その際には人工海浜をセットしたスタジオを作成し、それを利用して合わせてイベントを行うことにより、多くの報道関係者や一般利用者にも参加、見物して頂くことができ、宣伝の機会としても利用できるという利点もある。
さらに、最近では、コンピューターグラフィックスで海の着色を行うことがあるが、その場合には色に深みがなく、リアル性に欠けるものであるのに対し、本発明では、そのようなことのない映像を提供することができる。
【００１０】
そして、池の水面の変動により、池の壁面にフミン酸が付着し乾燥した場合においても、フミン酸の色が黒あるいは濃褐色であり、壁面あるいは周囲の色との対比において、白色顔料の場合にように存在感のある色ではないので特別違和感もなく美観を損ねることもない。
さらに、不透明青色発色に必要な貯水中におけるフミン酸の含有量は水深１．５ｍでは０．３〜３ｍｇ／Ｌ程度の微量であり、その場合の水の色はフミン酸の含有に気付くことのない程度の含有量で無色透明あるいは僅かに着色している程度のものであるから、池壁面に付着しても白色顔料の場合にように美観を損ねるほどの違和感のある色が発現することはない。
【発明を実施するための最良の形態】
【００１１】
本発明は、前述したとおり貯水に神秘的な不透明深青色を発現する着色助剤、それを使用する不透明深青色貯水及びその調製方法を提供するものであり、前記したとおりの優れた効果を奏するものである。
また、本発明の着色助剤及び不透明深青色貯水は、前記したとおり海戦映画あるいは怪獣映画の撮影、又は夏をテーマとしたイベント等において利用するのに適した、南国の海のような神秘的な不透明深青色を発現する人口池を提供することができる。
なお、それらはテーマ性を重視した遊園地の人口池の調製にも有用である。
それらの発明に関し以下において詳述するが、本発明は特許請求の範囲の記載によって特定されるものであり、それら詳述された事項によって何ら限定されるものではない。
【００１２】
本発明の不透明深青色を発現する着色助剤は、フミン酸含有水からなることを特徴とするものであり、そのフミン酸含有水は、固体である天然のフミン酸を水に分散したものであり、墨汁のような濃黒色のものである。
本発明の着色助剤におけるフミン酸含有水は、フミン酸の含有量が１〜４０ｗｔ％がよく、１５〜２５ｗｔ％が好ましい。
本願発明の着色助剤を調製する際に使用するフミン酸は、市販のものは１０〜５００μｍと粒径が大きいので、微細化し、粒径を小さくしたものを使用するのがよい。
【００１３】
その微細化は湿式で行い、その際には、２次凝集を回避するために界面活性剤を分散剤として利用するのがよい。
その界面活性剤については、特に限定されることはなくアニオン界面活性剤、ノニオン界面活性剤、カチオン界面活性剤のいずれも使用できるが、人工池に供給された際に美観を損ねる泡の発生ができるだけ回避できる、発泡性の低いものがよい。
微細化には、ボールミル、ホモミキサー、あるいはホモジナイザー等の各種微細化装置が使用できるが、コストのの点で、ボールミルが好ましい。
その微細化後における粒径は、平均粒径が０．１〜５μｍがよく、好ましくは０．３〜３μｍがよく、より好ましくは０．５〜１．５μｍがよく、更に望ましくは全粒径が０．０１〜１０μｍの範囲にあるのがよい。
【００１４】
本願発明では、このフミン酸含有水と青色染料とを併用して、人工池等に貯水されている水を不透明で深い青色に着色するものである。
すなわち、水にフミン酸を分散させると共に青色染料を溶解することにより、貯水されている水に、南国の海を模した神秘的な不透明で深い青色を発現するものである。
フミン酸含有水及び青色染料の人工池中の貯水への分散は、池に水供給用の配管を設置し、それを利用して行うのがよい。
人工池に貯水されている水は、プールの貯水と同様に時間の経過に伴って汚染されるが、その汚染された水は廃棄することなく浄化して循環使用するのがよく、そのためには浄化装置を設置するのがよい。
【００１５】
そして、その浄化装置を円滑に稼働するために、人工池には汚染水の集水及び浄化水の給水のために集給水用の配管を池全体にわたり配置するのがよい。
また、人工海浜をセットしたスタジオを作成し、それを利用して合わせてイベントを行う際には、噴水あるいはアトラクション施設等と設置してもよく、その稼働により貯水が飛散し、参加者に水が付着することが避けられず、参加者の健康管理のために水を塩素等により消毒するのがよく、その消毒は水浄化の際の循環を利用するのがよい。
したがって、フミン酸含有水及び青色染料を分散するための貯水への添加は、この循環設備を利用することにより円滑に行うことができ、しかもフミン酸を貯水全体に満遍なく、かつ均一濃度で分散することができるのでこれによる添加がよい。
その際の具体的添加位置については、浄化装置の出口が好ましい。
【００１６】
その人工池では、通常深さ１〜２ｍ程度の水が貯水されているが、本発明では約３０ｃｍの深さで貯水されていれば不透明で深い青色を発色することができ、勿論深さが５ｍ以上でも所望の発色はできるが、水深が深くなるにしたがって人工池の建設費と水量が膨大となるので、深さは４０〜４００ｃｍがよく、好ましくは５０〜３００ｃｍがよく、より好ましくは１００〜２００ｃｍがよい。
なお、水深に関し前記範囲が好ましいのは、怪獣が水中に潜むのに適する水深であり、また海戦シーン撮影に適した南国の海を模した神秘的な不透明で深い青色を発現することができるからである。
しかも人工池の維持管理設備を水面上に露見することなく設置するのにも適切だからである。
【００１７】
本発明で所望の発色を行うのに必要な貯水中におけるフミン酸の濃度は、０．０１〜５０ｍｇ／Ｌがよく、好ましくは０．１〜１０ｍｇ／Ｌがよく、より好ましくは０．２〜２．０ｍｇ／Ｌがよい。
なお、フミン酸の濃度が０．０１〜５０ｍｇ／Ｌの範囲でよくとしたのは、水深のよくとした下限の４０ｃｍにおけるフミン酸の濃度のよくとする上限が５０ｍｇ／Ｌであるからであり、他方水深のよくとした上限の４ｍにおけるフミン酸濃度のよくとする下限が０．０１ｍｇ／Ｌであるからである。
【００１８】
前記のとおりであり、フミン酸の不透明で深い青色を発色するのに必要な最適濃度は、深さが深いほど低くてよく、逆に浅いほど高くすることが必要であり、例えば、水深１００ｃｍの貯水では、フミン酸の濃度は１．５ｍｇ／Ｌが最適値であり、水深１５０ｃｍでは１．０ｍｇ／Ｌが最適値である。
さらに、これらの濃度のフミン酸含有水をそれぞれコップに１５０ｍＬ入れ、目視にて観察したが、濃度１５ｍｇ／Ｌの場合には僅かに着色を観察できるが、１０ｍｇ／Ｌの場合には着色を認識することは難しい。
この貯水の水深と不透明青色発色フミン酸濃度との関係を示すと表１のとおりである。
【００１９】
【表１】
2005263820.tif 000002
【００２０】
次ぎに、不透明で深い青色を発色するのに必要な染料について述べるに、その染料は青色染料であれば、各種のものが特に制限されることなく使用できる。
その青色染料には多種多様のものがあり、それには、分散系染料、カチオン染料、酸性染料、反応染料、直接染料、あるいは食用色素等があり、それらはいずれも使用可能であるが、本発明では、安全性の点でブリリアントブルーあるいはインジゴカルミンが好ましく使用できる。
なお、その染料を貯水に溶解するための添加も、フミン酸の場合と同様に水の循環設備で行うことができ、それが望ましい。
【００２１】
そのフミン酸と染料の添加順序については、同時でもよいし、どちらか一方を先にし、他を後にしてもよい。
なお、染料は太陽光、又は消毒用の塩素もしくは次亜塩素酸ナトリウムによって分解されるので、退色した場合には追加添加することが必要となる。
さらに、本発明で所望の発色を行うのに必要な貯水中における染料の濃度は、０．０１〜１．２ｍｇ／Ｌがよく、好ましくは０．０３〜０．９ｍｇ／Ｌがよく、より好ましくは０．０４〜０．４５ｍｇ／Ｌがよい。
なお、不透明で深い青色を発色するのに必要な青色染料の最適濃度は、フミン酸の場合と同様に深さが深いほど薄くてよく、逆に浅いほど濃くすることが必要である。
【００２２】
また、その最適濃度は、選択した染料によっても差異があり、それらのことを考慮すると、水深別の最適濃度を示すと表２のとおりである。
この表によれば、例えば水深１５０ｃｍでは、０．０５〜０．３ｍｇ／Ｌと幅があるが、それは染料の差異によって、最適値に違いがあるからである。
染料の最適濃度は、前記したとおり範囲があるが、それは前記したとおり使用する染料によって差異があるからであり、例えば水深１５０ｃｍでは、染料の最適濃度が０．０５ｍｇのものもあれば、０．３ｍｇ／Ｌのものもあるということである。
【００２３】
【表２】
2005263820.tif 000003
【００２４】
人工池に貯水する水については、特に制限されることはなく、透明で汚染されておらず、染料及びフミン酸の本来の発色に悪影響を与えないものであれば各種の水が制限されることなく使用でき、それには水道水、工業用水、河川水、海水、あるいは地下水等が例示できる。
また、原水が汚染されている場合には浄化して使用することも勿論できる。
なお、海水を使用する場合には、海洋に生息する魚類を人工池で飼育するのには好適である。
【実施例１】
【００２５】
以下において、本発明の着色助剤の実施例及びそれを用いた不透明深青色貯水の調製方法を示すが、本発明は、これら実施例によって何等限定されるものではなく、特許請求の範囲の記載によって特定されるものであることはいうまでもない。
市販のフミン酸を界面活性剤の存在下で水と混合しボールミルを用いて６時間処理し、処理後粒度分布計［超遠心式自動粒度分布測定装置((株)堀場製作所製)］により粒径を測定したところ、平均粒径は１μｍであり、全粒径は０．０１〜１０μｍの範囲にあった。
なお、その際には、水７６質量部、フミン酸２０質量部、界面活性剤［２−エチルヘキシルスルホコハク酸ナトリウム（日本油脂(株)製、ラピゾールＡ−８０）］４質量部で混合した。
【００２６】
次いで、面積３ｍ2の容器に、水道水を１．５ｍの水深で貯水し、この水に上で調製したフミン酸含有水と青色染料であるブリリアントブルーＦＣＦを添加した。
その際には、添加後の貯水中のフミン酸濃度が１ｍｇ／Ｌ、染料濃度が０．１２ｍｇ／Ｌとなるようにフミン酸含有水２２．５ｇ、青色染料０．５４ｇになるようにフミン酸及び染料を使用した。
その添加後の容器中の水は、不透明で深い青色を呈し、神秘的な色を発現し、最適な不透明青色を発色させることができた。
また、それ以外の水深の場合についても、同様に実験したところ、フミン酸濃度及び染料濃度を調整することにより、同様の不透明な青色を発色させることができた。
その際の添加後の貯水中の最適なフミン酸濃度および染料濃度は表３に示すとおりである。
【００２７】
【表３】
2005263820.tif 000004